【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
画像処理装置において、
モノクロ画像を表す色信号を、当該モノクロ画像を記録するために用いる色材に対応した信号に変換する色変換手段を具え、
前記色変換手段は、グレー軸と該グレー軸以外の領域を含む色再現域の総てで無彩色の色材が使用されるように前記変換を行うことを特徴とする画像処理装置。
【請求項２】
前記色変換手段は、前記色再現域における総ての濃度域で、有彩色の色材が前記無彩色の色材より少なく用いられるように、前記変換を行うことを特徴とする請求項１に記載の画像処理装置。
【請求項３】
前記色再現域はモノクロ画像を記録するための色再現域であり、該モノクロ画像用の色再現域はカラー画像を記録するための色再現域より小さいことを特徴とする請求項１に記載の画像処理装置。
【請求項４】
第１の色信号における色成分を破棄した第２の色信号を生成する手段と、
前記生成された第２の色信号に対して色調整が行われた第３の色信号を生成する手段とをさらに具え、
前記色変換手段で変換される色信号は、前記第３の色信号であることを特徴とする請求項１に記載の画像処理装置。
【請求項５】
画像を記録するために用いる色材に対応した信号に基づいて記録媒体に画像を記録する記録装置において、
モノクロ画像を表す色信号を、当該モノクロ画像を記録するために用いる色材に対応した信号に変換する色変換手段を具え、
前記色変換手段は、グレー軸と該グレー軸以外の領域を含む色再現域の総てで無彩色の色材が使用されるように前記変換を行うことを特徴とする記録装置。
【請求項６】
画像処理方法において、
モノクロ画像を表す色信号を、当該モノクロ画像を記録するために用いる色材に対応した信号に変換する色変換工程を有し、
前記色変換工程は、グレー軸と該グレー軸以外の領域を含む色再現域の総てで無彩色の色材が使用されるように前記変換を行うことを特徴とする画像処理方法。
【請求項７】
画像処理装置において
モノクロ画像を記録するためのモノクロモード、およびカラー画像を記録するためのカラーモードを含む複数の記録モードを設定可能な手段と、
前記記録モードとしてモノクロモードが設定された場合、前記モノクロ画像を表す色信号を、当該モノクロ画像の記録に用いる色材に対応した信号に変換する第１色変換手段と、
前記記録モードとしてカラーモードが設定された場合、前記カラー画像を表す色信号を、当該カラー画像の記録に用いる色材に対応した信号に変換する第２変換手段と、を具え
前記第１色変換手段は、グレー軸と該グレー軸以外の色相を含む色再現域の総てで無彩色の色材が使用されるように前記変換を行い、
前記第２色変換手段は、グレー軸と該グレー軸以外の色相を含む色再現域の一部の領域において、前記無彩色の色材が使用されるように前記変換を行い、
前記第１色変換手段の変換処理に用いる色再現域は、前記第２色変換手段の変換処理に用いる色再現域よりも小さいことを特徴とする画像処理装置。
【請求項８】
画像処理装置において、
モノクロ画像の色調整を行う色調整手段と、
前記色調整手段により色調整されたモノクロ画像を表す色信号を、当該モノクロ画像の記録に用いる色材に対応した信号に変換する色変換手段とを具え、
前記色変換手段は、グレー軸と該グレー軸以外の各色相を含む色再現域の前記グレー軸および前記各色相における、前記色信号によって規定される総ての濃度域で無彩色の色材が使用されるように前記変換を行うことを特徴とする画像処理装置。
【請求項９】
前記モノクロ画像の色調として異なる色調を設定可能な設定手段を更に具え、
前記色調整手段は、前記設定手段による設定結果に基づいて前記色調整を行うことを特徴とする請求項８に記載の画像処理装置。
【請求項１０】
前記色調整手段は、前記モノクロ画像の色調、前記モノクロ画像の濃度および前記モノクロ画像のコントラストのうち少なくとも１つの変更に伴って前記色調整を行うことを特徴とする請求項８に記載の画像処理装置。
【請求項１１】
画像処理装置において、
モノクロ画像を記録するためのモノクロモードを設定する手段と、
前記モノクロモードが設定された場合に、記録対象となる画像を表す色信号における色成分を破棄する手段と、
前記色成分が破棄された色信号に対して色調整を行う手段と、
前記色調整された色信号を、前記モノクロ画像の記録に用いる色材に対応した信号に変換する色変換手段と、を具え
前記色変換手段は、グレー軸と該グレー軸以外の各色相を含む色再現域内の前記グレー軸および前記各色相における、前記色信号によって規定される低濃度域から高濃度域に至る総ての濃度域で無彩色の色材が使用されるように前記変換を行うことを特徴とする画像処理装置。
【請求項１２】
画像処理方法において、
モノクロ画像を表す色信号に対して色調整を行う工程と、
色変換テーブルを用いて、前記色調整されたモノクロ画像を表す色信号を、当該モノクロ画像の記録に用いる色材に対応した信号に変換する工程とを具え、
前記色変換テーブルは、グレー軸と該グレー軸以外の色相を含む色再現域の前記グレー軸および前記各色相における、前記色信号によって規定される総ての濃度域で無彩色の色材が使用されるように前記変換を行うテーブルであることを特徴とする画像処理方法。
【請求項１３】
モノクロ画像を表す色信号を当該モノクロ画像を記録するために用いる色材の信号に変換するための色変換処理をコンピュータに実行させるプログラムであって、
前記色変換処理は、グレー軸と該グレー軸以外の領域を含む色再現域の全域で無彩色の色材が使用されるように前記変換を行うことを特徴とするプログラム。
【手続補正２】
【補正対象書類名】明細書
【補正対象項目名】００１７
【補正方法】変更
【補正の内容】
【００１７】
そのために本発明では、画像処理装置において、モノクロ画像を表す色信号を、当該モノクロ画像を記録するために用いる色材に対応した信号に変換する色変換手段を具え、前記色変換手段は、グレー軸と該グレー軸以外の領域を含む色再現域の総てで無彩色の色材が使用されるように前記変換を行うことを特徴とする。
【手続補正３】
【補正対象書類名】明細書
【補正対象項目名】００１８
【補正方法】変更
【補正の内容】
【００１８】
他の形態では、画像を記録するために用いる色材に対応した信号に基づいて記録媒体に画像を記録する記録装置において、モノクロ画像を表す色信号を、当該モノクロ画像を記録するために用いる色材に対応した信号に変換する色変換手段を具え、前記色変換手段は、グレー軸と該グレー軸以外の領域を含む色再現域の総てで無彩色の色材が使用されるように前記変換を行うことを特徴とする。
【手続補正４】
【補正対象書類名】明細書
【補正対象項目名】００１９
【補正方法】変更
【補正の内容】
【００１９】
また、画像処理方法において、モノクロ画像を表す色信号を、当該モノクロ画像を記録するために用いる色材に対応した信号に変換する色変換工程を有し、前記色変換工程は、グレー軸と該グレー軸以外の領域を含む色再現域の総てで無彩色の色材が使用されるように前記変換を行うことを特徴とする。
【手続補正５】
【補正対象書類名】明細書
【補正対象項目名】００２１
【補正方法】変更
【補正の内容】
【００２１】
さらに他の形態では、画像処理装置において、モノクロ画像の色調整を行う色調整手段と、前記色調整手段により色調整されたモノクロ画像を表す色信号を、当該モノクロ画像の記録に用いる色材に対応した信号に変換する色変換手段とを具え、 前記色変換手段は、グレー軸と該グレー軸以外の各色相を含む色再現域の前記グレー軸および前記各色相における、前記色信号によって規定される総ての濃度域で無彩色の色材が使用されるように前記変換を行うことを特徴とする。